Podtech/llm-jp-corpus-v4-ja_patent huggingface dataset:
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】    【請求項１】骨トンネル内へ導入される整形外科用スクリューであって、  前記スクリューの先端部を形成する第１の端部を備えた第１の区分であって、前記第１の区分は、前記第１の端部から前記スクリューの長さに沿う中間点まで延びており、前記第１の区分は、その長さの少なくとも一部に沿った雄ねじが設けられ、前記第１の区分は、前記第１の区分を骨トンネルにねじ込んだときに前記第１の区分が自動ねじ切りを行うような硬度を有している第１の材料で作られている、第１の区分と、  前記第１の区分に結合されていて、前記中間点から前記先端部の遠位側に位置した前記スクリューの第２の端部まで延びる第２の区分であって、前記第２の区分は、前記第１の材料とは異なる生体吸収性材料で作られており、前記第２の区分はその長さの少なくとも一部に沿って雄ねじが設けられた、第２の区分とから成ることを特徴とする成形外科用スクリュー。    【請求項２】前記第１の区分及び前記第２の区分のうちの一方から前記第１の区分及び前記第２の区分のうちの他方まで延びていて、前記区分に設けられたつがい関係をなす凹部に受け入れられて前記第１の区分と前記第２の区分を結合する突起を更に有していることを特徴とする請求項１記載のスクリュー。    【請求項３】前記突起は、六角形ボスであり、前記凹部は、これとつがい関係をなす六角形凹部であることを特徴とする請求項２記載のスクリュー。    【請求項４】前記突起は、非対称であり、前記凹部はこれとつがい関係をなして非対称であり、前記第２の区分に対する前記第１の区分の単一の組立ての向きを定めることを特徴とする請求項２記載のスクリュー。    【請求項５】前記突起は、少なくとも１つの半径方向に延びる側部突出部を備えた実質的に円筒形のものであることを特徴とする請求項４記載のスクリュー。    【請求項６】前記第２の区分をその長さの少なくとも一部に関して貫通して延びる軸方向ボアを更にし、前記軸方向ボアは、回転力を前記スクリューに及ぼすツールをぴったりと受け入れることを特徴とする請求項１記載のスクリュー。    【請求項７】前記軸方向ボアは、その長さの一部に沿って六角形であり、前記六角形部分は、六角レンチを受け入れるツール受入れ部分であることを特徴とする請求項６記載のスクリュー。    【請求項８】前記軸方向ボアは、前記第１の端部から前記第２の端部まで前記スクリューの全長を貫通して延びていることを特徴とする請求項６記載のスクリュー。    【請求項９】前記第１の端部に近接して位置する前記軸方向ボアは、案内ピンをぴったりと受け入れる形状になっていることを特徴とする請求項８記載のスクリュー。    【請求項１０】前記第１の区分の前記ねじ及び前記第２の区分の前記ねじは、前記第１の区分を前記第２の区分に結合すると互いに対して連続し、回転前進方向が同一であることを特徴とする請求項１記載のスクリュー。    【請求項１１】前記第１の端部は、前記スクリューを骨に設けられた穴に導入しやすいようテーパしていることを特徴とする請求項１０記載のスクリュー。    【請求項１２】前記第１の端部は、前記第１の区分のねじ山のうちの少なくとも１つを横断して切断形成された少なくとも１つの長手方向溝を有している��とを特徴とする請求項１１記載のスクリュー。    【請求項１３】前記第１の区分のねじ山のうち少なくとも１つは、始動ねじ山であることを特徴とする請求項１２記載のスクリュー。    【請求項１４】前記第１の区分は、生体吸収性であることを特徴とする請求項１記載のスクリュー。    【請求項１５】前記第１の区分は、一リン酸カルシウム、二リン酸カルシウム、三リン酸カルシウム、α−三リン酸カルシウム、β−三リン酸カルシウム、四リン酸カルシウム、ヒドロキシアパタイト、硫酸カルシウム、酸化カルシウム、炭酸カルシウム、リン酸カルシウム化マグネシウム、ホスフェートガラス、バイオガラス、これらの混合物、ポリグリコール酸ポリマー及び骨組織から成る群から選択された材料で作られていることを特徴とする請求項１４記載のスクリュー。    【請求項１６】前記第１の区分は、ステンレス鋼、コバルト−クロム合金、ガラス、セラミックス及びポリマーから成る群から選択された材料で作られていることを特徴とする請求項１記載のスクリュー。    【請求項１７】前記第２の区分は、脂肪族ポリエステル、ポリオルトエステル、ポリ無水物、ポリカーボネート、ポリウレタン、ポリアミド及びポリアルキレンオキシドから成る群から選択された材料で作られていることを特徴とする請求項１記載のスクリュー。    【請求項１８】前記第１の区分は、接着により前記第２の区分に結合されていることを特徴とする請求項１記載のスクリュー。    【請求項１９】前記第１の区分は、溶接により前記第２の区分に結合されていることを特徴とする請求項１記載のスクリュー。    【請求項２０】ツーピース型インターフェレンススクリューであって、  強度及び硬度が骨と同等の生体適合性材料で作られた前側区分と、  生体吸収性ポリマーで作られ、前記前側区分と結合する後側区分とから成ることを特徴とするスクリュー。    【請求項２１】前記前側区分は、生体吸収性であることを特徴とする請求項２０記載のスクリュー。    【請求項２２】ツーピース型インターフェレンススクリューを用いて骨用プラグを骨の穴内に固定する方法であって、  強度及び硬度が少なくとも骨と同等の生体適合性材料で作られた前側スクリュー区分を備える段階と、  生体適合性ポリマーで構成された後側スクリュー区分を備える段階と、  前記前側スクリュー区分を前記後側スクリュー区分と結合し、これによって前記インターフェレンススクリューを構成する段階と、  前記インターフェレンススクリューの先端部を骨の穴内に配置する段階と、  前記インターフェレンススクリューを回しながらそれと同時に前記インターフェレンススクリューを前記骨の穴内へ押し込む段階と、  前記前側スクリュー区分によりねじ山を前記骨の穴内に切る段階と、  前記後側スクリュー区分が前記前側スクリュー区分によって切られた前記ねじ山中に螺入できるようにする段階とを有していることを特徴とする方法。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
オペレータコンソール（４）と、主ユニット（２）と、水平面における位置調整を実行するために前記オペレータコンソールを前記主ユニットに装着する機構（６）とを具備するシステムにおいて、前記機構は、前記主ユニットに固着された内側ボス（８）と、前記オペレータコンソールに固着された外側ボス（１４）と、前記外側ボスに回動自在に結合された第１の外側リンク（１６）と、前記外側ボスに回動自在に結合された第２の外側リンク（１８）と、前記外側ボスに回動自在に結合された第１の内側リンク（１０）と、前記外側ボスに回動自在に結合された第２の内側リンク（１２）とを具備し、前記第１の外側リンクは前記第１の内側リンクに回動自在に結合され且つ前記第２の外側リンクは前記第２の内側リンクに回動自在に結合され、回動自在に結合された構成要素の回動軸は互いに平行であるシステム。
【請求項２】
前記第１及び第２の外側リンクの各々はＪ字形である請求項１記載のシステム。
【請求項３】
前記第１の内側リンクに対する前記第１の外側リンクの回動の範囲を制限する手段（６６、６８）を更に具備する請求項１記載のシステム。
【請求項４】
前記内側ボスに対する前記第１の内側リンクの回動の範囲を制限する手段（６６、６８）を更に具備する請求項１記載のシステム。
【請求項５】
前記第１の外側リンクに対する前記外側ボスの回動の範囲を制限する手段（６６、６８）を更に具備する請求項１記載のシステム。
【請求項６】
前記内側ボスは、前記オペレータコンソールのラッチを受け入れるための凹部（２５）を具備する請求項１記載のシステム。
【請求項７】
前記機構が休止状態にあるとき、前記外側ボスの第１及び第２の面は前記内側ボスの第１及び第２の面とそれぞれ当接している請求項１記載のシステム。
【請求項８】
前記第１及び第２の内側リンクのそれぞれ対応する部分を被覆する第１及び第２の柔軟なパッド（２６）を更に具備する請求項１記載のシステム。
【請求項９】
前記外側ボスは、前記第１及び第２の外側リンクに対する前記外側ボスのそれぞれの回動範囲にわたり前記第１及び第２の外側リンクの間隙をそれぞれ埋める第１及び第２の湾曲部分を具備する請求項１記載のシステム。
【請求項１０】
前記主ユニットはスキャナ電子装置を収納している請求項１記載のシステム。
【手続補正書】
【提出日】平成16年2月24日(2004.2.24)
【手続補正１】
【補正対象書類名】明細書
【補正対象項目名】請求項１
【補正方法】変更
【補正の内容】
【請求項１】
ハンドル回動接続構造およびばね付勢されたカムフォロワを有したハンドル上に取り付けるためのひげ剃り刃組立体において、
ガード部分を前部に、キャップ部分を後部に、刃部材取付部を前記ガード部分と前記キャップ部分との間に、前記刃取付部の下方にアーチ形の支持面を、それぞれ有したハウジングであって、前記アーチ形の支持面は、前記回動接続構造に摺動可能に係合し、かつ前方回動停止位置と後方回動停止位置との間の円弧に沿った動きのために前記アーチ形の支持面より上方に位置決めされた回動軸線の回りの回動自在な取付けを提供する、ハウジングと、
前記刃部材取付部に取り付けられた刃部材と、を備え、
前記前方回動停止位置と前記後方回動停止位置との間の途中の位置が途中位置であり、
前記ハウジングは、前記回動接続構造に対して位置決めされた頂点を有したカム表面をさらに有し、前記途中位置以外の場所に休止位置を提供するとともに、ひげ剃りの間に遭遇する回動力に応じ前記カムフォロワのばね付勢力に抗して前記休止位置から離れる弾力のある動きを許容することを特徴とするひげ剃り刃組立体。
【手続補正書】
【提出日】平成16年11月12日(2004.11.12)
【手続補正１】
【補正対象書類名】明細書
【補正対象項目名】０００３
【補正方法】変更
【補正の内容】
【０００３】
まず図３は第一の従来例であり、１は筒型ミシンのベッドであり、このベッド１には、先端に直径が小さい円筒状の筒型部２と、下方に潤滑油Ｏを貯油する油溜まり３とが設けられている。また、前記筒型部２には、上面が針板４に覆われるとともに左端面が開閉自在としたカバー５に覆われた釜収納室６が設けられている。７はベッド１内部に支持された前メタル、８はベッド１内部に支持された後メタルである。９は下軸であり、前記の前メタル７と後メタル８に回動自在に支持され、前メタル７左方の釜収納室６に突出した下軸９には、不図示の針糸ループを捕捉する釜１０が固定され、後メタル８の右端の下軸９には傘歯車１１が固定されている。また前記釜収納室６下方には、排出孔１２が形成され、この排出孔１２は釜収納室６内部下方から筒型部２の基部外方に連通している。１３は不図示のミシンフレームに縦方向に回動自在に支持された縦軸であり、この縦軸１３は不図示のミシンの主軸に対して約１．５倍の回転数で回転する。１４は傘歯車であり、縦軸１３の下端に固定されるとともに下軸９の傘歯車１１と噛み合い、これにより下軸９を主軸に対して２倍の回転数で回転させる。
【手続補正２】
【補正対象書類名】明細書
【補正対象項目名】００２５
【補正方法】変更
【補正の内容】
【００２５】
１は筒型ミシンのベッドであり、このベッド１には、先端に直径が小さい円筒状の筒型部２と、下方に潤滑油Ｏを貯油する油溜まり３とが設けられている。また、前記筒型部２には、上面が針板４に覆われるとともに左端面が開閉自在としたカバー５に覆われた釜収納室６が設けられている。７はベッド１内部に支持された前メタル、８はベッド１内部に支持された後メタルである。９は下軸であり、前記の前メタル７と後メタル８に回動自在に支持され、前メタル７左方の釜収納室６に突出した下軸９には、不図示の針糸ループを捕捉する釜１０が固定され、後メタル８の右端の下軸９には傘歯車１１が固定されている。１３は不図示のミシンフレームに縦方向に回動自在に支持された縦軸であり、この縦軸１３は不図示のミシンの主軸に対して約１．５倍の回転数で回転する。１４は傘歯車であり、縦軸１３の下端に固定されるとともに下軸９の傘歯車１１と噛み合い、これにより下軸９を主軸に対して２倍の回転数で回転させる。
【手続補正３】
【補正対象書類名】明細書
【補正対象項目名】００３３
【補正方法】変更
【補正の内容】
【００３３】
また、還流ポンプの吸引口にフィルターを設けたので、縫製部に落下した布屑や糸屑が油溜まり内の潤滑油に混入することがないので、潤滑油が長期間汚れることがなく、また潤滑油内に混入した布屑や糸屑等が、釜やメタル部分等に潤滑油とともに入らないから、ミシンの回転や摺動が妨げられることがなく、ミシンの耐久性が増すとともに、縫製作業能率がさらに向上する効果が得られる。
【手続補正４】
【補正対象書類名】明細書
【補正対象項目名】００３４
【補正方法】変更
【補正の内容】
【００３４】
また、給油ポンプは縦軸に連動するが、還流ポンプは下軸に連動する。縦軸は主軸の約１．５倍の回転数に対して、下軸は主軸の２倍の回転数で回転する。このため、給油ポンプより還流ポンプの方が、回転数が大きい。この回転数の違いにより、釜収納室の余剰の潤滑油を確実に還流（回収）することができる。
【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
表１に示す３次元構造座標によって表される立体構造を有する、配列番号１のアミノ酸配列を有するヒト由来造血器型プロスタグランジンＤ合成酵素（ＰＧＤＳ）カルシウム型とグルタチオン（ＧＳＨ）との複合体。
【請求項２】
表２に示す３次元構造座標によって表される立体構造を有する、配列番号１のアミノ酸配列を有するヒト由来造血器型ＰＧＤＳマグネシウム型とグルタチオンとの複合体。
【請求項３】
表３に示す３次元構造座標によって表される立体構造を有する、配列番号１のアミノ酸配列を有するヒト由来造血器型ＰＧＤＳカルシウム型と、グルタチオン及び９，１１−ジデオキシ−９α，１１α−メタノエポキシプロスタグランジンＦ２αとの複合体。
【請求項４】
表４に示す３次元構造座標によって表される立体構造を有する、配列番号１のアミノ酸配列を有するヒト由来造血器型ＰＧＤＳマグネシウム型と、グルタチオン及び９，１１−ジデオキシ−９α，１１α−メタノエポキシプロスタグランジンＦ２αとの複合体。
【請求項５】
表５に示す３次元構造座標によって表される立体構造を有する、配列番号１のアミノ酸配列を有するヒト由来造血器型ＰＧＤＳカルシウム型と、グルタチオン及び９，１１−ジデオキシ−９α，１１α−エポキシメタノプロスタグランジンＦ２αとの複合体。
【請求項６】
表６に示す３次元構造座標によって表される立体構造を有する、配列番号１のアミノ酸配列を有するヒト由来造血器型ＰＧＤＳマグネシウム型と、グルタチオン及び９，１１−ジデオキシ−９α，１１α−エポキシメタノプロスタグランジンＦ２αとの複合体。
【請求項７】
表７に示す３次元構造座標によって表される立体構造を有する、配列番号１のアミノ酸配列を有するヒト由来造血器型ＰＧＤＳカルシウム型と、グルタチオン及び1-アミノ-4-{4-[4-クロロ-6-(2-スルホニルフェニルアミノ)-[1,3,5]トリアジン-2-イルメチル]-3-スルホフェニルアミノ}-9,10-ジオキソ-9,10-ジヒドロアンスラセン-2-スルホン酸との複合体。
【請求項８】
表８に示す３次元構造座標によって表される立体構造を有する、配列番号１のアミノ酸配列を有するヒト由来造血器型ＰＧＤＳマグネシウム型と、グルタチオン及び４−ベンズヒドリルオキシ−１−{３−（１Ｈ−テトラゾール−５−イル）−プロピル}ピペリジンとの複合体。
【請求項９】
表１に示す３次元構造座標を有する、配列番号１のアミノ酸配列を有するヒト由来造血器型ＰＧＤＳカルシウム型とグルタチオンとの複合体の結晶。
【請求項１０】
表２に示す３次元構造座標を有する、配列番号１のアミノ酸配列を有するヒト由来造血器型ＰＧＤＳマグネシウム型とグルタチオンとの複合体の結晶。
【請求項１１】
表３に示す３次元構造座標を有する、配列番号１のアミノ酸配列を有するヒト由来造血器型ＰＧＤＳカルシウム型と、グルタチオン及び９，１１−ジデオキシ−９α，１１α−メタノエポキシプロスタグランジンＦ２αとの複合体の結晶。
【請求項１２】
表４に示す３次元構造座標を有する、配列番号１のアミノ酸配列を有するヒト由来造血器型ＰＧＤＳマグネシウム型と、グルタチオン及び９，１１−ジデオキシ−９α，１１α−メタノエポキシプロスタグランジンＦ２αとの複合体の結晶。
【請求項１３】
表５に示す３次元構造座標を有する、配列番号１のアミノ酸配列を有するヒト由来造血器型ＰＧＤＳカルシウム型と、グルタチオン及び９，１１−ジデオキシ−９α，１１α−エポキシメタノプロスタグランジンＦ２αとの複合体の結晶。
【請求項１４】
表６に示す３次元構造座標を有する、配列番号１のアミノ酸配列を有するヒト由来造血器型ＰＧＤＳマグネシウム型と、グルタチオン及び９，１１−ジデオキシ−９α，１１α−エポキシメタノプロスタグランジンＦ２αとの複合体の結晶。
【請求項１５】
表７に示す３次元構造座標を有する、配列番号１のアミノ酸配列を有するヒト由来造血器型ＰＧＤＳカルシウム型と、グルタチオン及びチバクロンブルー（1-アミノ-4-{4-[4-クロロ-6-(2-スルホニルフェニルアミノ)-[1,3,5]トリアジン-2-イルメチル]-3-スルホフェニルアミノ}-9,10-ジオキソ-9,10-ジヒドロアンスラセン-2-スルホン酸）との複合体の結晶。
【請求項１６】
表８に示す３次元構造座標を有する、配列番号１のアミノ酸配列を有するヒト由来造血器型ＰＧＤＳマグネシウム型と、グルタチオン及び４−ベンズヒドリルオキシ−１−{３−（１Ｈ−テトラゾール−５−イル）−プロピル}ピペリジンとの複合体の結晶。
【請求項１７】
表１〜８に示される３次元構造座標よりなる群から選択される少なくとも１の３次元構造座標の、ヒト由来造血器型ＰＧＤＳを阻害する化合物の選定における使用。
【請求項１８】
ヒト由来造血器型ＰＧＤＳの阻害剤の選定方法であって、
（ａ）ヒト由来造血器型ＰＧＤＳの活性部位を特徴づける表１〜８に示される３次元構造座標よりなる群から選択される少なくとも１の３次元構造座標を提供し；
（ｂ）候補化合物の立体構造を提供し；
（ｃ）候補化合物をヒト由来造血器型ＰＧＤＳの活性部位に適合させて阻害剤を選択する
ことを含む方法。
【請求項１９】
（ｄ）選択された阻害剤をプロスタグランジンＨ２の存在下に造血器型プロスタグランジンＤ合成酵素と接触させて阻害効果を確認することを更に含む請求項１８に記載の方法。
【請求項２０】
（ｅ）阻害剤が抗アレルギー活性、睡眠調節活性、及び抗肥満活性よりなる群から選択される少なくとも１の生物学的活性を有するか否かを測定することを更に含む請求項１８又は１９に記載の方法。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
配列番号：１、配列番号：２、配列番号：３、配列番号：１５、配列番号：１６または配列番号：１７で表されるアミノ酸配列と同一もしくは実質的に同一のアミノ酸配列を含有するタンパク質またはその塩。
【請求項２】
配列番号：１、配列番号：２または配列番号：３で表されるアミノ酸配列と同一もしくは実質的に同一のアミノ酸配列を含有する請求項１記載のタンパク質またはその塩。
【請求項３】
配列番号：１で表されるアミノ酸配列を含有する請求項１記載のタンパク質またはその塩。
【請求項４】
配列番号：２で表されるアミノ酸配列を含有する請求項１記載のタンパク質またはその塩。
【請求項５】
配列番号：３で表されるアミノ酸配列を含有する請求項１記載のタンパク質またはその塩。
【請求項６】
配列番号：１５で表されるアミノ酸配列を含有する請求項１記載のタンパク質またはその塩。
【請求項７】
配列番号：１６で表されるアミノ酸配列を含有する請求項１記載のタンパク質またはその塩。
【請求項８】
配列番号：１７で表されるアミノ酸配列を含有する請求項１記載のタンパク質またはその塩。
【請求項９】
請求項１記載のタンパク質の部分ペプチドまたはその塩。
【請求項１０】
請求項１記載のタンパク質または請求項９記載の部分ペプチドをコードするポリヌクレオチドを含有するポリヌクレオチド。
【請求項１１】
ＤＮＡである請求項１０記載のポリヌクレオチド。
【請求項１２】
配列番号：４、配列番号：５、配列番号：６、配列番号：１８、配列番号：１９または配列番号：２０で表される塩基配列を含有する請求項１１記載のポリヌクレオチド。
【請求項１３】
請求項１０記載のポリヌクレオチドを含有する組換えベクター。
【請求項１４】
請求項１３記載の組換えベクターで形質転換された形質転換体。
【請求項１５】
請求項１４記載の形質転換体を培養し、請求項１記載のタンパク質または請求項９記載の部分ペプチドを生成、蓄積せしめ、これを採取することを特徴とする請求項１記載のタンパク質もしくはその塩または請求項９記載の部分ペプチドもしくはその塩の製造方法。
【請求項１６】
請求項１記載のタンパク質もしくはその塩または請求項９記載の部分ペプチドもしくはその塩に対する抗体。
【請求項１７】
請求項１６記載の抗体を含有してなる医薬。
【請求項１８】
請求項１６記載の抗体を含有してなる診断薬。
【請求項１９】
請求項１記載のタンパク質もしくはその塩または請求項９記載の部分ペプチドもしくはその塩を用いることを特徴とする、請求項１記載のタンパク質もしくはその塩または請求項９記載の部分ペプチドもしくはその塩の活性を調節する化合物またはその塩のスクリーニング方法。
【請求項２０】
請求項１記載のタンパク質もしくはその塩または請求項９記載の部分ペプチドもしくはその塩を含有することを特徴とする、請求項１記載のタンパク質もしくはその塩または請求項９記載の部分ペプチドもしくはその塩の活性を調節する化合物またはその塩のスクリーニング用キット。
【請求項２１】
請求項１０記載のポリヌクレオチドを用いることを特徴とする、請求項１記載のタンパク質の遺伝子発現を調節する化合物またはその塩のスクリーニング方法。
【請求項２２】
配列番号：１または配列番号：１５で表されるアミノ酸配列と同一もしくは実質的に同一のアミノ酸配列を含有するタンパク質をコードするポリヌクレオチドを用いることを特徴とする、該タンパク質の遺伝子発現を促進する化合物またはその塩のスクリーニング方法。
【請求項２３】
配列番号：２、配列番号：３、配列番号：１６または配列番号：１７で表されるアミノ酸配列と同一もしくは実質的に同一のアミノ酸配列を含有するタンパク質をコードするポリヌクレオチドを用いることを特徴とする、該タンパク質の遺伝子発現を抑制する化合物またはその塩のスクリーニング方法。
【請求項２４】
請求項１０記載のポリヌクレオチドを含有することを特徴とする、請求項１記載のタンパク質の遺伝子発現を調節する化合物またはその塩のスクリーニング用キット。
【請求項２５】
（ａ）配列番号：１（rMEF2ChW）または配列番号：１５（rMEF2CbW）で表されるアミノ酸配列と同一もしくは実質的に同一のアミノ酸配列を含有するタンパク質（ワイルドタイプ）をコードするポリヌクレオチドを用い、該タンパク質の遺伝子発現を促進する化合物またはその塩をスクリーニングし、（ｂ）配列番号：２（rMEF2ChV1）、配列番号：３（rMEF2ChV2）、配列番号：１６（rMEF2CbV1）または配列番号：１７（rMEF2CbV２）で表されるアミノ酸配列と同一もしくは実質的に同一のアミノ酸配列を含有するタンパク質（バリアント）をコードするポリヌクレオチドを用い、該タンパク質の遺伝子発現を抑制する化合物またはその塩をスクリーニングする方法。
【請求項２６】
配列番号：１（rMEF2ChW）で表されるアミノ酸配列と同一もしくは実質的に同一のアミノ酸配列を含有するタンパク質をコードするポリヌクレオチドを用い、該タンパク質の遺伝子発現を促進する化合物またはその塩をスクリーニングし、かつ、配列番号：２（rMEF2ChV1）で表されるアミノ酸配列と同一もしくは実質的に同一のアミノ酸配列を含有するタンパク質をコードするポリヌクレオチドを用い、該タンパク質の遺伝子発現を抑制する化合物またはその塩をスクリーニングする方法。
【請求項２７】
配列番号：１５（rMEF2CbW）で表されるアミノ酸配列と同一もしくは実質的に同一のアミノ酸配列を含有するタンパク質をコードするポリヌクレオチドを用い、該タンパク質の遺伝子発現を促進する化合物またはその塩をスクリーニングし、かつ、配列番号：１６（rMEF2CbV1）で表されるアミノ酸配列と同一もしくは実質的に同一のアミノ酸配列を含有するタンパク質をコードするポリヌクレオチドを用い、該タンパク質の遺伝子発現を抑制する化合物またはその塩をスクリーニングする方法。
【請求項２８】
請求項１０記載のポリヌクレオチドに相補的な塩基配列またはその一部を含有するアンチセンスポリヌクレオチド。
【請求項２９】
請求項２８記載のアンチセンスポリヌクレオチドを含有してなる医薬。
【請求項３０】
心疾患または中枢神経疾患の予防・治療剤である請求項１７または２９記載の医薬。
【手続補正書】
【提出日】平成16年7月5日(2004.7.5)
【手続補正１】
【補正対象書類名】明細書
【補正対象項目名】０００８
【補正方法】変更
【補正の内容】
【０００８】
【課題を解決するための手段】
この発明にかかる気液接触装置は、筒状のケーシングと、軸に交差するケーシングの断面を複数に分割し、互いに接するように配置してケーシング内に取り付けた各枠内に、軸に直交するケーシングの断面に所定角度で交差させて複数の羽根を平行に取り付けたエレメントとを備えるものである。
また、この発明にかかる気液接触装置は、筒状のケーシングと、軸に交差するケーシングの断面を周方向へ複数に分割し、互いに接するように配置してケーシング内に取り付けた各枠内に、軸に直交するケーシングの断面に所定角度で交差させて旋回流を発生させるように複数の羽根を平行に取り付けたエレメントとを備え、エレメントをケーシングの軸方向へ複数配置するとともに、隣接するエレメント同士の旋回流の方向を逆向きにしたものである。
そして、各気液接触装置において、各羽根に複数の開口を設けるのが望ましい。
【手続補正２】
【補正対象書類名】明細書
【補正対象項目名】００１１
【補正方法】変更
【補正の内容】
【００１１】
次に、動作について説明する。
まず、ブロワなどで処理ガス、例えばアンモニアガス（ＮＨ3）を気液接触装置１１内へ送り込むとともに、撒布管から洗浄液としての中和液、例えば硫酸水溶液（Ｈ2Ｓｏ4）を気液接触装置１１内に撒布して洗浄液のＰＨが７となるようにすると、気液接触装置１１では、図４に示すように、気流と液流とが同じ方向から１つ目のエレメント１３の羽根１５に衝突して急激に方向を変え、羽根１５に沿って流れる。
【手続補正３】
【補正対象書類名】明細書
【補正対象項目名】００１４
【補正方法】変更
【補正の内容】
【００１４】
次に、ブロワなどでアンモニアガス（ＮＨ3）を気液接触装置１１内へ下側から送り込むとともに、撒布管から洗浄液としての硫酸水溶液（Ｈ2Ｓｏ4）を気液接触装置１１内へ上側から撒布して洗浄液のＰＨが７となるようにすると、気液接触装置１１では、図５に示すように、気流と液流とが互いに逆方向から羽根１５に衝突して急激に方向を変える。
このとき、羽根１５から落下しかけている中和液の一部は巻き上げられ、渦流となって羽根１５伝いに上昇し、理想的な気液接触が行われる。
また、羽根１５の上端でも羽根１５から落下しかけている中和液を巻き込んで気液接触が行われる。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
シイタケ菌糸体抽出物を含む、Ｔｈ１／Ｔｈ２バランス調節剤。
【請求項２】
シイタケ菌糸体抽出物及び任意成分として薬剤的に許容できる担体を含む、免疫力の向上及び回復のための予防用及び／又は治療用組成物である請求項１記載の調節剤。
【請求項３】
経口投与する、請求項１又は２記載の調節物。
【請求項４】
食品である、請求項１記載の調節剤。
【請求項５】
飲料である、請求項１記載の調節剤。
【手続補正書】
【提出日】平成16年7月26日(2004.7.26)
【手続補正１】
【補正対象書類名】明細書
【補正対象項目名】００１３
【補正方法】変更
【補正の内容】
【００１３】
本発明に係る先端偏向操作可能カテーテルでは、操作用ワイヤまたはロッドの後端を、引っ張り、または押し込み操作することで、管状部材における先端偏向部は、先端偏向部の横断面から見て、両側に取り付けられた軸方向連結要素を結ぶ線に対して略直角方向に偏向移動する。しかも、その偏向移動の度合は、操作用ワイヤまたはロッドの引き込みまたは押し込み量に対応し、操作の追随性および安定性に優れている。
【手続補正２】
【補正対象書類名】明細書
【補正対象項目名】００４２
【補正方法】変更
【補正の内容】
【００４２】
また、このカテーテル２では、一対の操作用ワイヤ３０の後端を、巻き取りまたは巻き解し操作することで、管状部材２０における先端偏向部２４は、先端偏向部２４の横断面から見て、両側に取り付けられた軸方向連結要素２８を結ぶ線に対して略直角方向ＡまたはＢに偏向移動する。しかも、その偏向移動の度合は、操作用ワイヤ３０の巻き取りまたは巻き解し量に対応し、操作の追随性および安定性に優れている。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
第１波長の光束を発する第１光源と、
上記第１光源からの第１照明光束で被検眼眼底中心付近に集光する様に照明するための第１照明光学系と、
第２波長の光束を発する第２光源と、
上記第２光源からの第２照明光束で被検眼眼底の観察領域を照明するための第２照明光学系と、
被検眼眼底から反射してきた反射光束を第１波長の反射光束の大部分を含む第１分岐光束と、第１波長の反射光束の残りの部分及び第２波長の反射光束を含む第２分岐光束と、に分岐するビームスプリッターと、
上記ビームスプリッターで分岐された第１分岐光束を受け取り、この第１分岐光束を少なくとも１７本のビームに変換する第１変換部材を介して受光するように導くための第１受光光学系と、
上記第１受光光学系からの第１分岐光束を受光する第１受光部と、
上記ビームスプリッターで分岐された第２分岐光束を受光するように導くための第２受光光学系と、
上記第２受光光学系からの第２分岐光束を受光する第２受光部と、
上記第１受光部で得られた光束の傾き角に基づいて被検眼の光学特性を求める演算部と、
上記第２受光部からの信号により眼底上での第１照明光束の照射位置を確認可能とする表示部と
を備えた眼の光学特性測定装置。
【請求項２】
さらに、被検眼眼底上に固視標像を形成するための固視標を有し、かつ固視標位置を光軸に対して直交方向に移動可能に構成して、この固視標の移動により、被検眼眼底上の第１照明光束の集束位置を変更するように指示するための固視標投影光学系を備えたことを特徴とする請求項１に記載の眼の光学特性測定装置。
【請求項３】
被検眼眼底上に固視標像を形成するための固視標と、固視標の結像位置近傍に互いに略直交方向に回動軸を有する反射ミラーを含み、このミラーの移動により、被検眼眼底上の第１光束の集束位置を変更するように構成された固視標投影光学系を含むことを特徴とする請求項１に記載の眼の光学特性測定装置。
【請求項４】
上記第１照明光学系において、
光束方向変換部材を含み、この光束方向の変化により、被検眼眼底上の第１光束の集束位置を変更するようにした請求項１に記載の眼の光学特性測定装置。
【請求項５】
上記第２光源部は、波長８６０〜８８０ｎｍの面光源又は点光源であることを特徴とする請求項１乃至４のいずれかに記載の眼の光学特性測定装置。
【請求項６】
上記演算部は、さらに、固視標像の位置が黄斑部の位置付近にあるか否かを判定することを特徴とする請求項１乃至５のいずれかに記載の眼の光学特性測定装置。
【請求項７】
第１波長の光束を発する第１光源と、
上記第１光源からの第１照明光束で被検眼眼底中心付近に集光する様に照明するための第１照明光学系と、
第２波長の光束を発する第２光源と、
上記第２光源からの第２照明光束で被検眼眼底の観察領域を照明するための第２照明光学系と、
被検眼眼底から反射してきた反射光束を第１波長の反射光束の大部分を含む第１分岐光束と、第１波長の反射光束の残りの部分及び第２波長の反射光束を含む第２分岐光束と、に分岐するビームスプリッターと、
上記ビームスプリッターで分岐された第１分岐光束を受け取り、波面を測定するために、この第１分岐光束を受光するように導くための第１受光光学系と、
上記第１受光光学系からの第１分岐光束を受光する第１受光部と、
上記ビームスプリッターで分岐された第２分岐光束を受光するように導くための第２受光光学系と、
上記第２受光光学系からの第２分岐光束を受光する第２受光部と、
上記第１受光部で得られた光束の傾き角に基づいて被検眼の光学特性を求める演算部と、
上記第２受光部からの信号により眼底上での第１照明光束の照射位置を確認可能とする表示部と
を備えた眼の光学特性測定装置。
【手続補正２】
【補正対象書類名】明細書
【補正対象項目名】０００９
【補正方法】変更
【補正の内容】
【０００９】
以下、各部について詳細に説明する。
第１照明光学系２００Ａは、例えば、第１の光源部１００からの光束で被検眼眼底６１上で微小な領域を照明するためのものである。第１照明光学系２００Ａは、第１の集光レンズ２１０と、第１リレーレンズ２２０とを備える。
第１の光源部１００は、空間コヒーレンスが高く、時間コヒーレンスは高くないものが望ましい。ここでは、一例として、第１の光源部１００には、ＳＬＤが採用されており、輝度が高い点光源を得ることができる。なお、第１の光源部１００は、ＳＬＤに限られるものではなく、レーザーの様に空間、時間ともコヒーレンスが高いものでも、回転拡散板などを挿入することにより、適度に時間コヒーレンスを下げることで利用できる。そして、ＬＥＤの様に、空間、時間ともコヒーレンスが高くないものでも、光量さえ充分であれば、ピンホール等を光路の光源の位置に挿入することで、使用可能になる。また、照明用の第１の光源部１００の波長は、例えば、赤外域の波長、例えば７８０ｎｍを使用することができる。第１の光源部１００は、連続点灯させている場合には、第１受光部５１０において、光学特性測定用の光束と、被検査対象物である被検眼前眼部６２の光束とが同時に受光される。
【手続補正３】
【補正対象書類名】明細書
【補正対象項目名】００１１
【補正方法】変更
【補正の内容】
【００１１】
第１受光部５１０は、変換部材４００を通過した第１の受光光学系３００Ａからの光を受光し、第１信号を生成するためのものである。第１の光源部１００と眼底６１が共役となっており、眼底６１と第１受光部５１０とが共役となっている。更に、変換部材４００と瞳孔も共役となっている。即ち、第１のアフォーカルレンズ３１０の前側焦点は、被検査対象物である被検眼６０の前眼部６２と略一致している。眼底６２からの反射光は、第１のアフォーカルレンズ３１０及び第２のシリンダーレンズ３２０を通過し、変換部材４００を介して、その１次光として第１受光部５１０上に集光する。ここで０次光は透過光束に相当し、１次光は収束光束に相当する。
【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
電動送風機の運転によって発生する気流とともに塵埃を吸込口体の吸込口から吸い込み、吸い込んだ気流を集塵装置に導入して塵埃を捕集する電気掃除機において、
前記吸込口体に第１の吸込口を含む複数の吸込口を設け、前記第１の吸込口にはアジテーターを配置し、且つ前記複数の吸込口を切り替え使用する吸込口切替装置を設け、前記第１の吸込口から吸い込みが行われるときに前記アジテーターが駆動されることを特徴とする電気掃除機。
【請求項２】
前記アジテーターが前記電動送風機と異なる動力源によって駆動されることを特徴とする請求項１に記載の電気掃除機。
【請求項３】
前記アジテーターへの動力伝達機構が、前記アジテーターと一体回転する駆動プーリーと、前記アジテーターと独立して回転可能なアイドラーと、ベルト掛替装置により前記駆動プーリーとアイドラーとの間で掛け替えが行われるベルトとを含むことを特徴とする請求項１又は請求項２に記載の電気掃除機。
【請求項４】
前記吸込口切替装置とベルト掛替装置の一方を前記吸込口体の左右一方の側に、他方を吸込口体の反対の側に配置し、両者を連動手段で連結して吸込口切り替え動作とベルト掛け替え動作とを連動させたことを特徴とする請求項３に記載の電気掃除機。
【請求項５】
前記吸込口切替装置とベルト掛替装置のいずれか一方を操作すれば、それに連動して他方も操作されることを特徴とする請求項４に記載の電気掃除機。
【請求項６】
前記吸込口切替装置と非連動で前記ベルト掛替装置を操作することを可能としたことを特徴とする請求項４に記載の電気掃除機。
【請求項７】
前記吸込口体に掃除機本体を回動可能に連結し、この掃除機本体が保管時の姿勢をとるのと連動して前記アジテーターの駆動が停止されることを特徴とする請求項２又は請求項６に記載の電気掃除機。
【請求項８】
前記吸込口切替装置の中の切替弁の弁軸にレバーを一体に成形し、このレバーを前記連動手段の一構成要素としたことを特徴とする請求項４〜請求項７のいずれかに記載の電気掃除機。
【請求項９】
前記第１の吸込口よりも開口面積の小さい第２の吸込口を第１の吸込口の近傍に設けたことを特徴とする請求項１〜請求項８のいずれかに記載の電気掃除機。
【手続補正２】
【補正対象書類名】明細書
【補正対象項目名】００１１
【補正方法】変更
【補正の内容】
【００１１】
また本発明では、前記吸込口体に掃除機本体を回動可能に連結し、この掃除機本体が保管時の姿勢をとるのと連動して前記アジテーターの駆動が停止されることとした。この構成によれば、掃除機本体を保管時の姿勢にすればアジテーターが必ず停止する。
【手続補正３】
【補正対象書類名】明細書
【補正対象項目名】０１４９
【補正方法】変更
【補正の内容】
【０１４９】
また本発明では、前記吸込口体に掃除機本体を回動可能に連結し、この掃除機本体が保管時の姿勢をとるのと連動して前記アジテーターの駆動が停止されることとしたから、掃除機本体を保管時の姿勢にすればアジテーターが必ず停止する。従って１箇所でアジテーターが回転を続けることにより床を傷つける（カーペットの場合であれば、毛足をむしる）ことがない。アジテーター自身も摩耗しない。
【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
便器使用者が着座する着座部材と、前記着座部材の着座面に対向する裏面側に設けられて通電によって発熱する発熱体と前記発熱体からの熱を前記着座部材に伝える伝熱体とで構成された便座加熱手段と、前記着座部材の温度を監視する便座温度検知手段と、前記便座温度検知手段からの情報に基づいて前記発熱体への通電量を制御する通電制御手段とを有する暖房便座において、前記発熱体の前記伝熱体と反対側を覆うように配置されて前記着座部材への伝熱状態を変化させる、伝熱性材料からなる伝熱補正手段を備えたことを特徴とする暖房便座。
【請求項２】
前記伝熱体は前記便座温度検知手段を配置するための開口部を有し、前記伝熱補正手段は前記便座温度検知手段を覆って配置したことを特徴とする請求項１記載の暖房便座。
【請求項３】
前記伝熱補正手段は可撓性を有したシート状の伝熱部材としたことを特徴とする請求項１または２記載の暖房便座。
【請求項４】
前記伝熱補正手段に穴を設けたことを特徴とする請求項３記載の暖房便座。
【請求項５】
前記伝熱補正手段の穴は便座温度検知手段の近傍に設けたことを特徴とする請求項４記載の暖房便座。
【手続補正２】
【補正対象書類名】明細書
【補正対象項目名】０００５
【補正方法】変更
【補正の内容】
【０００５】
【課題を解決するための手段】
上記目的を達成するために請求項１記載の暖房便座では、便器使用者が着座する着座部材と、前記着座部材の着座面に対向する裏面側に設けられて通電によって発熱する発熱体と前記発熱体からの熱を前記着座部材に伝える伝熱体とで構成された便座加熱手段と、前記着座部材の温度を監視する便座温度検知手段と、前記便座温度検知手段からの情報に基づいて前記発熱体への通電量を制御する通電制御手段とを有する暖房便座において、前記発熱体の前記伝熱体と反対側を覆うように配置されて前記着座部材への伝熱状態を変化させる、伝熱性材料からなる伝熱補正手段を備えたことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２記載の暖房便座では、請求項１記載の暖房便座において、前記伝熱体は前記便座温度検知手段を配置するための開口部を有し、前記伝熱補正手段は前記便座温度検知手段を覆って配置したことを特徴とする。
【手続補正５】
【補正対象書類名】明細書
【補正対象項目名】０００８
【補正方法】変更
【補正の内容】
【０００８】
請求項３記載の暖房便座では、請求項１または２記載の暖房便座において、前記伝熱補正手段は可撓性を有したシート状の伝熱部材としたことを特徴とする。
【手続補正６】
【補正対象書類名】明細書
【補正対象項目名】０００９
【補正方法】変更
【補正の内容】
【０００９】
請求項４記載の暖房便座では、請求項３記載の暖房便座において、前記伝熱補正手段に穴を設けたことを特徴とする。
【手続補正７】
【補正対象書類名】明細書
【補正対象項目名】００１０
【補正方法】変更
【補正の内容】
【００１０】
請求項５記載の暖房便座では、請求項４記載の暖房便座において、前記伝熱補正手段の穴は便座温度検知手段の近傍に設けたことを特徴とする。
【手続補正８】
【補正対象書類名】明細書
【補正対象項目名】００１８
【補正方法】変更
【補正の内容】
【００１８】
【発明の効果】
本発明は上記構成により次の効果を発揮する。
便座の温度分布に対する寄与量を便座加熱手段による基本分と伝熱補正手段による補正分とに分けて、温度分布の細かな調整は伝熱補正手段による補正で行なうことが可能になる。したがって便座開発時に、基本となる便座加熱手段の配置に細かな配慮をする必要が無くなり、便座加熱手段の設計が容易になる。また、複数の類似の便座に対しては、基本となる便座加熱手段を一種類だけ用意しておき、それぞれの便座に対応した伝熱補正手段を夫々用意することで対応可能となる。その結果、便座加熱手段の共通化が可能となり、設計・開発負荷の軽減だけでなく量産効果によるコストダウンも図ることが可能となる。
【手続補正９】
【補正対象書類名】明細書
【補正対象項目名】００１９
【補正方法】変更
【補正の内容】
【００１９】
この伝熱補正手段を前記便座加熱手段に接して配置すると、伝熱補正手段により、便座加熱手段の発熱部からの熱が輻射熱として反着座側に逃げるのを防止してエネルギーの利用効率を上げることができるだけでなく、発熱部から伝熱補正手段への熱の伝達性が良くなることによって、便座により効率良く熱エネルギーを分配・伝達できるため温度分布補正の設計自由度を上げることが可能となる。
【手続補正１０】
【補正対象書類名】明細書
【補正対象項目名】００２０
【補正方法】変更
【補正の内容】
【００２０】
また、前記伝熱体は前記便座温度検知手段を配置するための開口部を有し、前記伝熱補正手段は前記便座温度検知手段を覆って配置すれば、伝熱補正手段により便座温度検知手段周辺の温度分布を補正できるので、便座温度検知手段の応答性等の便座温度特性を容易に目標とする特性に設定することが可能となる。
【手続補正１１】
【補正対象書類名】明細書
【補正対象項目名】００２１
【補正方法】変更
【補正の内容】
【００２１】
さらに、前記伝熱補正手段は可撓性を有したシート状の伝熱部材とすれば、取り付ける部位の形状に対する伝熱補正手段の形状追従性が良くなるので、凹凸が有るところや狭いところにも取り付けが容易となるため、どの部位でも温度分布の補正することが可能となる。
【手続補正１２】
【補正対象書類名】明細書
【補正対象項目名】００２２
【補正方法】変更
【補正の内容】
【００２２】
また、前記伝熱補正手段に穴を設ければ、伝熱補正手段は穴の大きさや配置を変えることで熱エネルギーの伝達度合いを変えることが出来るため、細かな温度分布の補正が可能となる。
【手続補正１３】
【補正対象書類名】明細書
【補正対象項目名】００２３
【補正方法】変更
【補正の内容】
【００２３】
この伝熱補正手段の穴を便座温度検知手段の近傍に設ければ、便座温度設定変更時の温度応答特性を補正することが可能となる。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
被吊設物の掛止紐を掛け止めする掛止鉤を有する吊設表示物用ハンガーにおいて、前記掛止鉤の前部に、意匠表示部を備えてなる装飾表示体を設け、該装飾表示体は鏡面を有する鋼板製にして、該鏡面にブラスト処理加工によって意匠が形成された意匠表示部から成る構造を特徴とする吊設表示物用ハンガー。
【請求項２】
被吊設物の掛止紐を掛け止めする掛止鉤を有する吊設表示物用ハンガーにおいて、前記掛止鉤の前部に、意匠表示部を備えてなる装飾表示体を設け、該装飾表示体は鋼板製にして、該鋼板表面に熱転写加工によって意匠が形成された意匠表示部から成る構造を特徴とする吊設表示物用ハンガー。
【請求項３】
装飾表示体が、掛止鉤へ着脱自在に構成された請求項１または請求項２のいずれかに記載の吊設表示物用ハンガー。
【請求項４】
意匠表示部の意匠が、ガラスビーズの微細粉を用いるブラスト処理加工によって形成されたことを特徴とする請求項１に記載の吊設表示物用ハンガー。
【請求項５】
被吊設物の掛止紐を掛け止めする掛止鉤の前部に、意匠表示部を備えてなる装飾表示体を設けた吊設表示物用ハンガーを製造するにおいて、鋼板をプレス成形して表面を鏡面加工し、続いて該鏡面に所要の意匠形状に打ち抜き加工または削り加工した薄膜シートを接着し、続いて該接着物に微細粉を用いてブラスト処理を施し、しかるのち該薄膜シートを剥離して前記鏡面上に前記薄膜シートの意匠形状を梨地状にして現わした意匠表示部を形成することを特徴とする吊設表示物用ハンガーの製造方法。
【手続補正２】
【補正対象書類名】明細書
【補正対象項目名】０００７
【補正方法】変更
【補正の内容】
【０００７】
【課題を解決するための手段】
以上の技術課題を解決する本発明の吊設表示物用ハンガーは、被吊設物の掛止紐を掛け止めする掛止鉤を有する吊設表示物用ハンガーにおいて、前記掛止鉤の前部に、意匠表示部を備えてなる装飾表示体を設け、
その装飾表示体が「鏡面を有する鋼板製にして、該鏡面にブラスト処理加工によって意匠が形成された意匠表示部から成る構造」または「鋼板製にして、該鋼板表面に熱転写加工によって意匠が形成された意匠表示部から成る構造」と、「被吊設物の掛止紐を掛け止めする掛止鉤の前部に、意匠表示部を備えてなる装飾表示体を設けた吊設表示物用ハンガーを製造するにおいて、鋼板をプレス成形して表面を鏡面加工し、続いて該鏡面に所要の意匠形状に打ち抜き加工または削り加工した薄膜シートを接着し、続いて該接着物に微細粉を用いてブラスト処理を施し、しかるのち該薄膜シートを剥離して前記鏡面上に前記薄膜シートの意匠形状を梨地状にして現わした意匠表示部を形成することを特徴とする吊設表示物用ハンガーの製造方法」が特徴である。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
ポリエチレン、ポリスチレン、ナイロン６、ナイロン６６、ナイロン１１、ナイロン１２、テフロン及びエチレン・酢酸ビニルコポリマー（ＥＶＡ）よりなる群より選ばれた少なくとも１種の熱可塑性樹脂並びに少なくとも１種の充填剤から実質的になる略球状の複合粉体を配合した化粧料。
【請求項２】
充填剤が着色顔料である請求項１記載の化粧料。
【請求項３】
充填剤が体質顔料である請求項１記載の化粧料。
【請求項４】
熱可塑性樹脂及び少なくとも１種の充填剤から実質的になる熱可塑性樹脂組成物を、この組成物と相溶性のない分散媒と共にこの組成物の融点以上の温度に加熱して混合し、微粒子に分散する工程、及び
得られた熱可塑性樹脂組成物の微粒子をその融点以下の温度に冷却して、平均粒径が０．０１μｍ以上１，０００μｍ以下の略球状の複合粉体とする工程、
を含むことを特徴とする
化粧料用球状複合粉体の製造方法。
【手続補正書】
【提出日】平成16年8月12日(2004.8.12)
【手続補正１】
【補正対象書類名】明細書
【補正対象項目名】特許請求の範囲
【補正方法】変更
【補正の内容】
【特許請求の範囲】
【請求項１】
内部にインクカートリッジが収容される箱状体からなるインクカートリッジ用包装ケースであって、上記箱状体に、舌片を備えた舌片形成片が設けられるとともに、上記舌片挿入用の切り口が形成され、上記舌片に、切り口から抜ける際に切り口の端部に引掛かる引掛り片が形成され、上記箱状体が、上面に開口する箱本体と、この箱本体に開口一辺を介して連結されて上記開口を蓋する蓋部とを有し、上記蓋部の端縁に上記開口内に差込まれる折曲げ片が延設され、この折曲げ片の折り目に沿って切り口が形成され、上記箱本体と上記蓋部との境界近傍に、上記蓋部を開蓋しうる切り取り線が設けられていることを特徴とするインクカートリッジ用包装ケース。
【請求項２】
上記箱状体が上面に開口する箱本体と上記開口を蓋する蓋部とを有し、上記箱本体に、開口一辺を介して連結された吊り下げ部が形成され、上記吊り下げ部に、先端部が上記開口内に差込まれる折り返し片が形成され、上記折り返し片の先端部に舌片が形成されている請求項１記載のインクカートリッジ用包装ケース。
【請求項３】
上記舌片の先端縁が略弧状に形成されている請求項１または２記載のインクカートリッジ用包装ケース。
【請求項４】
上記舌片の引掛り片が、舌片の両側縁に形成された突片である請求項１〜３のいずれか一項に記載のインクカートリッジ用包装ケース。
【請求項５】
上記舌片が、折り返し片の先端部に切り込みが形成されることにより形成されている請求項２〜４のいずれか一項に記載のインクカートリッジ用包装ケース。
【請求項６】
上記切り口の両端部に、舌片の引掛り片と係合しうる係合片が形成されている請求項１〜５のいずれか一項に記載のインクカートリッジ用包装ケース。
【請求項７】
上記切り口の両端部を除く部分に、折り曲げ片が折り曲げられた状態でスリットを形成する切り起し片が設けられている請求項１〜６のいずれか一項に記載のインクカートリッジ用包装ケース。
【手続補正２】
【補正対象書類名】明細書
【補正対象項目名】００１０
【補正方法】変更
【補正の内容】
【００１０】
【課題を解決するための手段】
上記目的を達成するため、本発明のインクカートリッジ用包装ケースは、 内部にインクカートリッジが収容される箱状体からなるインクカートリッジ用包装ケースであって、上記箱状体に、舌片を備えた舌片形成片が設けられるとともに、上記舌片挿入用の切り口が形成され、上記舌片に、切り口から抜ける際に切り口の端部に引掛かる引掛り片が形成され、上記箱状体が、上面に開口する箱本体と、この箱本体に開口一辺を介して連結されて上記開口を蓋する蓋部とを有し、上記蓋部の端縁に上記開口内に差込まれる折曲げ片が延設され、この折曲げ片の折り目に沿って切り口が形成され、上記箱本体と上記蓋部との境界近傍に、上記蓋部を開蓋しうる切り取り線が設けられていることを要旨とする。
【手続補正３】
【補正対象書類名】明細書
【補正対象項目名】００１１
【補正方法】変更
【補正の内容】
【００１１】
すなわち、本発明のインクカートリッジ用包装ケースは、箱状体に、舌片を備えた舌片形成片が設けられるとともに、上記舌片挿入用の切り口が形成され、上記舌片に、切り口から抜ける際に切り口の端部に引掛かる引掛り片が形成されているため、内容物を取り出す際に、上記舌片を切り口から抜かなければならず、その際、舌片の引掛かり片が切り口端部に引掛かって破損しやすくなる。したがって、内容物を取り出す際に破壊して再使用できなくなり、従来のような粗悪品の流通を防止できる。
しかも、切り口が折り目に沿って形成されていることから目立ち難く、包装ケースの美観を損なわない。
また、箱本体と蓋部との境界近傍に、蓋部を開蓋しうる切り取り線が設けられているので、舌片を切り口から引き抜かなくても容易に開蓋することが可能で、包装の解除が容易で、内容物を取り出す際に、上記切り取り線から確実にケースが破壊するため、包装ケースの再使用を有効に防止することができる。
【手続補正４】
【補正対象書類名】明細書
【補正対象項目名】００１２
【補正方法】削除
【補正の内容】
【手続補正５】
【補正対象書類名】明細書
【補正対象項目名】００１９
【補正方法】削除
【補正の内容】